(57)【要約】      （修正有）【課題】作業性を維持または向上させながら、安全性を向上できる架線吊具を提供する。【解決手段】ビーム又は腕金に吊り下げられている架線を仮受する架線吊具であり、架線吊具１０（支持物側）は、Ｌ字型部材１１とＶ字型部材１４から形成される。Ｌ字型部材は、Ｌ字第１部１２とＬ字第２部１３とを有する。Ｖ字型部材は、Ｖ字第１部１５とＶ字第２部１６とを有する。Ｌ字型部材とＶ字型部材とは、Ｌ字第１部の端部およびＶ字型部材の隅角部１７にて回動可能に連結される。Ｌ字第１部１２とＬ字第２部１３とＶ字第１部１５は三角環状に結合され、取付部１８を構成する。Ｖ字第２部１６は、架線吊部１９を構成する。【選択図】図１
0003211738.tif 000002
【実用新案登録請求の範囲】
【請求項１】
ビーム又は腕金に吊り下げられている架線を仮受する架線吊具であって、
前記架線吊具をビーム又は腕金に固定する取付部と、
ワイヤーを介して前記架線を吊る架線吊部と
を備え、
前記取付部は前記ビーム又は腕金を囲む環状を形成する
ことを特徴とする架線吊具。
【請求項２】
前記架線吊部と連動して、前記取付部の環状は開閉可能である
ことを特徴とする請求項１記載の架線吊具。
【請求項３】
前記ビーム又は腕金の断面はＬ字型であり、
前記架線吊具は、Ｌ字型部材とＶ字型部材から形成され、
前記Ｌ字型部材は、Ｌ字第１部とＬ字第２部とを有し、
前記Ｖ字型部材は、Ｖ字第１部とＶ字第２部とを有し、
前記Ｌ字型部材と前記Ｖ字型部材とは、Ｌ字第１部端部およびＶ字隅角部にて回動可能に連結され、
前記Ｌ字第１部とＬ字第２部と前記Ｖ字第１部は環状に結合され、前記取付部を構成し、
前記Ｖ字第２部は、前記架線吊部を構成する
ことを特徴とする請求項１〜２いずれか記載の架線吊具。
【請求項４】
前記取付部がビーム又は腕金に取り付けられた状態において、
前記Ｖ字第２部端部と前記Ｌ字隅角部とが略同じ高さになるように形成される
ことを特徴とする請求項３記載の架線吊具。
【請求項５】
前記Ｌ字型部材は、Ｌ字第１部またはＬ字第２部にスペーサを取付可能とするスペーサ取付部を有する
ことを特徴とする請求項３記載の架線吊具。
【考案の詳細な説明】
【技術分野】
【０００１】
本考案は架線吊具に関し、特に、き電線がいし取替作業等に使用する架線吊具に関するものである。
【背景技術】
【０００２】
き電線、き電分岐線や、トロリー線、ちょう架線、ハンガーのような電車線はレールに対応して、複数の支柱のビームや腕金（以下腕金等）に支持されている。
【０００３】
き電線（架線）と腕金等の間を絶縁するために、がいしが介装されている。言い換えると、き電線はがいしを介して腕金等に支持されている。
【０００４】
がいしは適宜取換される。その際、き電線を仮支持（仮受）する必要が有る。
【０００５】
従来、き電線がいし取替作業において、特別な工具など決められておらず、作業員が各々工夫していた。最近では、特許文献１に記載のようなき電線仮支持具（本願架線吊具に相当）が提案されている。
【先行技術文献】
【特許文献】
【０００６】
【特許文献１】特開2017-039353号公報
【考案の概要】
【考案が解決しようとする課題】
【０００７】
上述のとおり、き電線がいし取替作業において、特別な工具など決められておらず、作業員が各々工夫していた（一例について図４に関する記載にて後述）。ところで、作業手順の大略は定められており、安全性については充分に検討されている。
【０００８】
しかしながら、き電線がいし取替作業は高所作業であり重大事故の一因ともなり得るので、安全性についてより一層検討することが好ましい。
【０００９】
なお、一般的な傾向として、安全性を重視すると作業性が低下することがある。たとえば、特許文献１記載のき電線仮支持具では、腕金に固定部を嵌めこんだ後、ボルト締めし、腕金から外方に突出するように仮固定する。確実に固定されるため、安全性は向上するが、構成が複雑で、作業手間が掛かる。すなわち作業性は低下している。
【００１０】
したがって、作業性を維持または向上させながら、安全性を向上させることが重要となる。
【００１１】
本考案は上記課題を解決するものであり、作業性を維持または向上させながら、安全性を向上できる架線吊具を提供することを目的とする。
【課題を解決するための手段】
【００１２】
上記課題を解決する本考案はビーム又は腕金に吊り下げられている架線を仮受する架線吊具である。架線吊具は、前記架線吊具をビーム又は腕金に固定する取付部と、ワイヤーを介して前記架線を吊る架線吊部とを備える。前記取付部は前記ビーム又は腕金を囲む環状を形成する。
【００１３】
これにより、架線吊具を腕金等に脱落することなく取付けることができる。その結果安全性は向上する。作業性は維持される。
【００１４】
好ましくは、前記架線吊部と連動して、前記取付部の環状は開閉可能である。
【００１５】
これにより、さらに安全性は向上する。
【００１６】
好ましくは、前記ビーム又は腕金の断面はＬ字型である。前記架線吊具は、Ｌ字型部材とＶ字型部材から形成され、前記Ｌ字型部材は、Ｌ字第１部とＬ字第２部とを有し、前記Ｖ字型部材は、Ｖ字第１部とＶ字第２部とを有し、前記Ｌ字型部材と前記Ｖ字型部材とは、Ｌ字第１部端部およびＶ字隅角部にて回動可能に連結され、前記Ｌ字第１部とＬ字第２部と前記Ｖ字第１部は環状に結合され、前記取付部を構成し、前記Ｖ字第２部は、前記架線吊部を構成する。
【００１７】
これにより、取付部の環状は前記スペーサを遊びなく囲む。
【００１８】
好ましくは、前記取付部がビーム又は腕金に取り付けられた状態において、前記Ｖ字第２部端部と前記Ｌ字隅角部とが略同じ高さになるように形成される。
【００１９】
これにより、腕金等のＬ字向きが上下反転しても適用できる。
【００２０】
好ましくは、前記Ｌ字型部材は、Ｌ字第１部またはＬ字第２部にスペーサを取付可能とするスペーサ取付部を有する。
【００２１】
これにより、腕金等の寸法が一回り小さくても適用できる。
【考案の効果】
【００２２】
本考案の架線吊具は、作業性を維持または向上させながら、安全性を向上できる。
【図面の簡単な説明】
【００２３】
【図１】架線吊具（支持物側）
【図２】架線吊具（架線側）
【図３】動作説明図
【図４】従来技術
【図５】架線吊具（支持物側）  変形使用例
【図６】架線吊具（支持物側）  変形使用例
【考案を実施するための形態】
【００２４】
〜構成〜
架線仮受機構は、がいし取替作業の際、架線を仮受するのに用いられる。
【００２５】
架線仮受機構は、架線吊具１０（支持物側）と架線吊具２０（架線側）と張線器３０とを備えている。架線吊具１０（支持物側）は腕金２等に取付けられる。架線吊具２０（架線側）は架線４を仮受する。張線器３０の両端は、架線吊具１０（支持物側）と架線吊具２０（架線側）とに結合されている。腕金２等の支持物は断面Ｌ字状のＬ型鋼であることが多い。以下詳細に説明する。
【００２６】
図１は、架線吊具１０（支持物側）の概略構成図である。図１Ａは環状の開き状態を示し、図１Ｂは環状の閉じ状態を示す。
【００２７】
架線吊具１０（支持物側）は、Ｌ字型部材１１とＶ字型部材１４とから形成される。
【００２８】
Ｌ字型部材１１は２枚のＬ字状の平板を対向させて連結させたものである。Ｌ字型部材１１は、Ｌ字の鉛直方向に相当するＬ字第１部１２と、Ｌ字の水平方向に相当するＬ字第２部１３とを有する。なお、図示では、Ｌ字が上下反転かつ左右反転しているが、便宜的にＬ字状とする。
【００２９】
Ｌ字第１部１２の端部には孔が設けられている。また、Ｌ字第２部１３の端部にも孔が設けられている。
【００３０】
Ｖ字型部材１４は、Ｖ字一半体に相当するＶ字第１部１５とＶ字別半体に相当するＶ字第２部１６とを有する。Ｖ字第１部１５とＶ字第２部１６とは、Ｖ字隅角部１７にて結合し、Ｖ字を形成する。Ｖ字第１部１５の端部には孔が設けられている。Ｖ字第２部１６の端部には孔が設けられている。Ｖ字隅角部１７にも孔が設けられている。Ｖ字第２部１６の端部は、蛇が鎌首をもたげた様な形状をしている。
【００３１】
Ｌ字第１部１２端部の孔およびＶ字隅角部１７の孔には、ボルトが挿通され、ナットにより絞められている。すなわち、Ｌ字型部材１１とＶ字型部材１４とは、Ｌ字第１部１２端部およびＶ字隅角部１７にて回動可能に連結される。
【００３２】
Ｌ字第２部１３の端部とＶ字第１部１５端部とが離れた位置にある場合、三角環状１８は開かれた状態にある（図１Ａ参照）。
【００３３】
一方、回動により、Ｌ字第２部１３の端部とＶ字第１部１５端部とが一致し、Ｌ字第２部１３端部の孔およびＶ字第１部１５端部の孔に、ボルトが挿通され、ナットにより絞められると、Ｌ字第１部１２とＬ字第２部１３とＶ字第１部１５とは閉じられた三角環状１８を形成する（図１Ｂ参照）。
【００３４】
三角環状１８の内縁は、腕金２の断面Ｌ字状に相当する。すなわち、三角環状１８は腕金２（図３参照）をほぼ遊びなく囲み、取付部１８を構成する。
【００３５】
また、Ｖ字第２部１６は図示時計回り（おおよそ１２時→２時）に回動し、Ｖ字第２部１６は架線吊部１９を構成する。Ｖ字第２部１６端部の孔は張線器３０との係合孔である。
【００３６】
図２は、架線吊具２０（架線側）の概略構成図である。
【００３７】
架線吊具２０（架線側）は、フック本体２１と蓋２２とから形成される。フック本体２１は、架線４を仮受可能なようにやや幅広とする。蓋２２は、フック本体２１の開口を塞ぎ、架線４が脱落するのを防止する。フック本体２１の端部には、張線器３０との係合孔が設けられている。
【００３８】
張線器３０（図３参照）は、ワイヤーの両端にフックを有する。レバー操作によりワイヤー長さを調整すると、ワイヤーに張力が作用する。
【００３９】
〜動作〜
図３は、がいし取替作業に係る動作について説明する図である。
【００４０】
支柱１には水平方向に伸びる腕金２（またはビーム）が設けられる。腕金２等の支持物は断面Ｌ字状のＬ型鋼であることが多い。例えば、Ｌ型鋼の幅寸法および高さ寸法は６５ｍｍまたは７５ｍｍである。図示では、Ｌ字が上下反転するように設置されている。
【００４１】
腕金２にはがいし３を介して架線４が吊支持されている。したがって、がいしには架線４の自重が作用している。したがって、以下のように架線４を仮受する。
【００４２】
取付部１８が腕金２を囲むように、架線吊具１０（支持物側）を腕金２に取付ける。同時に架線吊部１９も形成される。
【００４３】
架線吊部１９に張線器３０を取り付けるとともに、架線吊具２０（架線側）に架線４を設置し、架線吊具２０（架線側）に張線器３０を取り付ける。これにより準備が完了する（図３Ａ参照）。
【００４４】
レバーを操作して張線器３０を絞め、架線４を引き上げると、架線４は架線吊具２０（架線側）に仮受される。架線４の自重は架線吊部１９を下方に引っ張るように作用する。その結果、取付部１８はより確実に腕金２を締め付ける。
【００４５】
一方で、がいし３に作用していた力は解放される。これにより、がいし３は取換可能になる（図３Ｂ参照）。
【００４６】
がいし３の取換を行なった後、張線器３０を緩め、新設されたがいしに架線４を支持させる。架線吊具２０（架線側）から架線４を取り外し、張線器３０を架線吊具１０（支持物側）および架線吊具２０（架線側）から取り外す。
【００４７】
このとき、架線吊部１９は架線４の自重から解放されているため、取付部１８による腕金２締め付けも解放されている。これにより、架線吊具１０（支持物側）を腕金２から容易に取り外すことができる。
【００４８】
〜効果〜
従来技術と比較することにより、本実施形態の効果について説明する。
【００４９】
従来、がいし取替作業において、特別な工具など決められておらず、作業員が各々工夫していた。
【００５０】
図４は、従来技術の一例を示す概略構成および作業説明図である。
【００５１】
従来技術の架線仮受機構は、架線吊具１１０（支持物側）と架線吊具１２０（架線側）と張線器３０とを備えている。架線吊具１１０（支持物側）は腕金２等に取付けられる。架線吊具１２０（架線側）は架線４を仮受する。張線器３０は本実施形態と共通である。
【００５２】
架線吊具１１０（支持物側）は、棒状部材であり、一端部にフックが設けられ、他端部に係合孔が設けられている。架線吊具１２０（架線側）は、一部開放された三角環状部材であり、頂部に係合孔が設けられている。張線器３０の両フックは、両係合孔にそれぞれ取り付けられている。
【００５３】
架線吊具１１０（支持物側）は水平に腕金２に仮置きされるともに、架線吊具１１０（支持物側）のフックは腕金２に引っ掛けられる。
【００５４】
張線器３０の操作により架線４を仮受する動作は、本実施形態と共通である。
【００５５】
従来技術においても安全性について検討されているが、以下の懸念がある。
【００５６】
架線吊具１１０（支持物側）の腕金２への取付は、フックによる係止のみであるため、万が一の場合、外れるおそれがないわけではない。
【００５７】
特に、仮受時にはフック周辺に図示時計回りの大きなモーメントが発生する。想定以上の力が作用した場合、フックが降伏するおそれもある。
【００５８】
また、フックを腕金２に係止する際に、架線吊具１１０（支持物側）の重心が腕金２上から外れて、不安定になるため、より慎重な作業が求められる。その結果、作業性が低下する。
【００５９】
なお、一般的な傾向として、安全性を重視すると作業性が低下することがある。
【００６０】
これに対し、本実施形態では、三角環状１８が腕金２をほぼ遊びなく囲み、脱落を防止している。
【００６１】
さらに、仮受時には、三角環状１８はより確実に腕金２を締め付ける。仮受後には解放され、容易に取外しできる。
【００６２】
これらの安全性向上のために面倒な作業は必要なく、作業性は維持される。
【００６３】
一方で、架線吊具１０（支持物側）を腕金２上に仮置きするときは、Ｖ字第２部１６は上方に伸びた状態にある（図１Ａ参照）。これにより、架線吊具１０（支持物側）の重心はほぼ腕金２上にあり、安定な状態である。その結果、安全性が向上するとともに、作業性も向上する。
【００６４】
以上のように、本実施形態は、作業性を維持または向上させながら、安全性を向上できる。
【００６５】
〜変形使用例〜
本実施形態の取付部１８が腕金等に取り付けられた状態において、Ｖ字第２部１６端部とＬ字隅角部（Ｌ字第１部１２とＬ字第２部１３との交点）とが略同じ高さになるように形成されている（図１Ｂ参照）。
【００６６】
ところで、上記では、腕金２等の支持物は断面Ｌ字状のＬ型鋼である、Ｌ字が上下反転するように設置されていることを前提に説明している。
【００６７】
しかしながら、Ｌ字が順方向となるように腕金２が設置される場合もある。このような場合も、架線吊具１０（支持物側）を上下反転させることで、取付部１８が腕金２を囲むように、架線吊具１０（支持物側）を腕金２に取付けることができる。
【００６８】
その際、架線吊部１９は上記同様適切な位置となる（図５参照）。
【００６９】
他の使用例について説明する。
【００７０】
腕金２等の支持物は断面Ｌ字状のＬ型鋼であることが多い。例えば、Ｌ型鋼の幅寸法および高さ寸法は６５ｍｍまたは７５ｍｍである。
【００７１】
一方で、架線吊具１０（支持物側）において、三角環状１８の内縁は、腕金２の断面Ｌ字状に相当する。これにより、三角環状１８は腕金２をほぼ遊びなく囲む。
【００７２】
例えば、Ｌ型鋼の幅寸法および高さ寸法が７５ｍｍである場合、三角環状１８の内縁がＬ型鋼を内接するように架線吊具１０（支持物側）の寸法を設計する。
【００７３】
しかしながら、例えば、Ｌ型鋼の幅寸法および高さ寸法が６５ｍｍである場合、三角環状１８の内縁より一回り小さくなり、遊びが発生する・
【００７４】
遊びが発生する場合、Ｌ字第１部１２またはＬ字第２部１３に、スペーサ９を装着する（図６参照）。Ｌ字第１部１２中央またはＬ字第２部１３中央に孔が設けられている。スペーサ９にも孔が設けられている。両孔にボルトを挿通し、ナット締めする。
【００７５】
これにより、Ｌ型鋼の幅寸法および高さ寸法が６５ｍｍである場合でも、Ｌ型鋼の幅寸法および高さ寸法が７５ｍｍに対応する架線吊具１０（支持物側）を適用することができる。
【００７６】
以上のように、基本使用例と異なった使用方法もでき、汎用性が高い。
【符号の説明】
【００７７】
１  支柱
２  腕金
３  がいし
４  架線
９  スペーサ
１０  架線吊具（支持物側）
１１  Ｌ字型部材
１２  Ｌ字第１部
１３  Ｌ字第２部
１４  Ｖ字型部材
１５  Ｖ字第１部
１６  Ｖ字第２部
１７  Ｖ字隅角部
１８  取付部（三角環状）
１９  架線吊部
２０  架線吊具（架線側）
２１  フック本体
２２  蓋
３０  張線器
１１０  架線吊具（支持物側）  従来技術
１２０  架線吊具（架線側）  従来技術
【図１】
0003211738.tif 000003
【図２】
0003211738.tif 000004
【図３】
0003211738.tif 000005
【図４】
0003211738.tif 000006
【図５】
0003211738.tif 000007
【図６】
0003211738.tif 000008
【手続補正書】
【提出日】平成29年5月31日(2017.5.31)
【手続補正１】
【補正対象書類名】実用新案登録請求の範囲
【補正対象項目名】全文
【補正方法】変更
【補正の内容】
【実用新案登録請求の範囲】
【請求項１】
ビーム又は腕金に吊り下げられている架線を仮受する架線吊具であって、
前記架線吊具をビーム又は腕金に固定する取付部と、
ワイヤーを介して前記架線を吊る架線吊部と
を備え、
前記取付部は前記ビーム又は腕金を囲む環状を形成する
ことを特徴とする架線吊具。
【請求項２】
前記架線吊部と連動して、前記取付部の環状は開閉可能である
ことを特徴とする請求項１記載の架線吊具。
【請求項３】
前記ビーム又は腕金の断面はＬ字型であり、
前記架線吊具は、Ｌ字型部材とＶ字型部材から形成され、
前記Ｌ字型部材は、Ｌ字第１部とＬ字第２部とを有し、
前記Ｖ字型部材は、Ｖ字第１部とＶ字第２部とを有し、
前記Ｌ字型部材と前記Ｖ字型部材とは、Ｌ字第１部端部およびＶ字隅角部にて回動可能に連結され、
前記Ｌ字第１部とＬ字第２部と前記Ｖ字第１部は環状に結合され、前記取付部を構成し、
前記Ｖ字第２部は、前記架線吊部を構成する
ことを特徴とする請求項１〜２いずれか記載の架線吊具。
【請求項４】
前記取付部がビーム又は腕金に取り付けられた状態において、
前記Ｖ字第２部端部とＬ字隅角部とが略同じ高さになるように形成される
ことを特徴とする請求項３記載の架線吊具。
【請求項５】
前記Ｌ字型部材は、Ｌ字第１部またはＬ字第２部にスペーサを取付可能とするスペーサ
取付部を有する
ことを特徴とする請求項３記載の架線吊具。